(57)【要約】【課題】受電装置の非充電時の消費電力が増加するのを抑制しつつ、確実に充電を開始することが可能な受電装置を提供を提供する。【解決手段】この受電装置１は、特定の周波数の磁界に選択的に共鳴して電力を発生するための受電コイル１１と、給電装置２の通信部２３と通信を行うための通信部１７と、受電コイル１１が特定の周波数の磁界に共鳴したことに基づいて、給電装置２の通信部２３と通信を行うための通信部１７の通信機能を無効から有効にする制御を行う制御部１８とを備える。【選択図】図２
2017085717.tif 000002
【特許請求の範囲】
【請求項１】
特定の周波数の磁界に選択的に共鳴して電力を発生するための受電側コイル部と、
給電装置の給電側通信部と通信を行うための受電側通信部と、
前記受電側コイル部が特定の周波数の磁界に共鳴したことに基づいて、前記給電装置の給電側通信部と通信を行うための前記受電側通信部の通信機能を無効から有効にする制御を行う制御部とを備える、受電装置。
【請求項２】
前記受電側コイル部に作用した磁界の周波数を検出するための特定周波数検出部をさらに備える、請求項１に記載の受電装置。
【請求項３】
前記制御部は、前記受電側通信部の通信機能を有効にした後、前記受電側通信部が前記給電装置の給電側通信部と通信を行うことができない場合には、前記通信機能を無効にする制御を行うように構成されている、請求項１または２に記載の受電装置。
【請求項４】
蓄電部をさらに備え、
前記制御部は、前記受電側コイル部により発生された電力により前記蓄電部が所定量以上充電された場合には、前記通信機能を無効にする制御を行うように構成されている、請求項１〜３のいずれか１項に記載の受電装置。
【請求項５】
前記制御部は、時間に対する振幅変化が特定のパターンを有する磁界の周波数を検出し、かつ、前記受電側コイル部が特定の周波数の磁界に共鳴したことに基づいて、前記通信機能を有効にする制御を行うように構成されている、請求項１〜４のいずれか１項に記載の受電装置。
【請求項６】
前記制御部は、時間に対する変化が特定のパターンを有する磁界を、記憶されている磁界のパターンと比較することにより、前記受電側コイル部が前記特定のパターンを有する磁界の周波数を検出したか否かを判断する制御を行うように構成されている、請求項５に記載の受電装置。
【発明の詳細な説明】
【技術分野】
【０００１】
この発明は、受電装置に関し、特に、給電装置の給電側通信部と通信を行うための受電側通信部を備える受電装置に関する。
【背景技術】
【０００２】
従来、給電装置の給電側通信部と通信を行うための受電側通信部を備える充電システムが知られている（たとえば、特許文献１参照）。
【０００３】
上記特許文献１には、給電側通信部を含む給電装置（プリンタ）と、受電側通信部を含む受電装置（カメラ）とが開示さている。受電装置は、給電装置から送信された信号を受信すると、給電装置に対して各種信号を送信するように構成されている。給電装置は、受電装置から送信された信号に基づいて、受電装置に対して給電を行うように構成されている。受電側通信部は、非充電時にも起動していると考えられる。
【先行技術文献】
【特許文献】
【０００４】
【特許文献１】特開２０１５―８６０７号公報
【発明の概要】
【発明が解決しようとする課題】
【０００５】
しかしながら、上記の受電装置では、非充電時にも受電側通信部は起動していると考えられるため、受電装置の非充電時の消費電力が増加する問題点がある。また、非充電時に受電側通信部を起動させない場合には、確実に充電を開始することができないという問題点がある。
【０００６】
この発明は、上記のような課題を解決するためになされたものであり、この発明の１つの目的は、受電装置の非充電時の消費電力が増加するのを抑制しつつ、確実に充電を開始することが可能な受電装置を提供することである。
【課題を解決するための手段】
【０００７】
この発明の一の局面による受電装置は、特定の周波数の磁界に選択的に共鳴して電力を発生するための受電側コイル部と、給電装置の給電側通信部と通信を行うための受電側通信部と、受電側コイル部が特定の周波数の磁界に共鳴したことに基づいて、給電装置の給電側通信部と通信を行うための受電側通信部の通信機能を無効から有効にする制御を行う制御部とを備える。
【０００８】
この発明の一の局面による受電装置では、上記のように、受電側コイル部が特定の周波数の磁界に共鳴したことに基づいて、給電装置の給電側通信部と通信を行うための受電側通信部の通信機能を無効から有効にする制御を行う制御部を設ける。これにより、給電装置から特定の周波数の磁界を発生させれば、充電時にだけ受電側通信部を起動させて給電装置の給電側通信部と通信を行い、充電を行うことができる。その結果、受電装置の非充電時の消費電力が増加するのを抑制しつつ、確実に充電を開始することができる。また、受電側コイル部が特定の周波数の磁界により共鳴したことに基づいて、上記の制御を行うので、複雑な信号をやり取りする場合と異なり、制御部の制御負荷を低減することができる。
【０００９】
上記一の局面による受電装置において、好ましくは、受電側コイル部に作用した磁界の周波数を検出するための特定周波数検出部をさらに備える。このように構成すれば、特定周波数検出部を用いて、受電側コイル部に作用した磁界の周波数を容易に検出することができる。
【００１０】
上記一の局面による受電装置において、好ましくは、制御部は、受電側通信部の通信機能を有効にした後、受電側通信部が給電装置の給電側通信部と通信を行うことができない場合には、通信機能を無効にする制御を行うように構成されている。このように構成すれば、受電側コイル部が特定の周波数の磁界に共鳴したことに基づいて、給電装置の給電側通信部と通信を行うための受電側通信部の通信機能を有効にしたにも関わらず、給電装置の給電側通信部と通信を行うことができない場合に、無駄に電力が消費されるのを抑制することができる。
【００１１】
上記一の局面による受電装置において、好ましくは、蓄電部をさらに備え、制御部は、受電側コイル部により発生された電力により蓄電部が所定量以上充電された場合には、通信機能を無効にする制御を行うように構成されている。このように構成すれば、所定量以上の充電が完了し、給電装置の給電側通信部と通信を行う必要がなくなった場合に、無駄に電力が消費されるのを抑制することができる。
【００１２】
上記一の局面による受電装置において、好ましくは、制御部は、時間に対する振幅変化が特定のパターンを有する磁界の周波数を検出し、かつ、受電側コイル部が特定の周波数の磁界に共鳴したことに基づいて、通信機能を有効にする制御を行うように構成されている。このように構成すれば、給電側コイル部以外の給電装置とは異なる装置から出される特定の周波数の磁界に共鳴したことに基づいて、受電側通信部の通信機能が有効にされるのを抑制することができる。これにより、給電装置が受電装置の近くになく、受電装置の充電ができないにもかかわらず受電側通信部の通信機能が有効にされて、無駄に電力が消費されるのを抑制することができる。
【００１３】
この場合、好ましくは、制御部は、時間に対する変化が特定のパターンを有する磁界を、記憶されている磁界のパターンと比較することにより、受電側コイル部が特定のパターンを有する磁界の周波数を検出したか否かを判断する制御を行うように構成されている。このように構成すれば、給電装置が受電装置の近くになく、受電装置の充電ができないにもかかわらず受電側通信部の通信機能が有効にされてしまうのを容易に抑制することができる。
【００１４】
本発明によれば、上記のように、受電装置の非充電時の消費電力が増加するのを抑制しつつ、確実に充電を開始することができる。
【図面の簡単な説明】
【００１５】
【図１】本発明の第１実施形態による充電システムを模式的に示した斜視図である。
【図２】本発明の第１実施形態による充電システムの構成を示したブロック図である。
【図３】本発明の第１実施形態による特定周波数検出回路を示した図である。
【図４】本発明の第１実施形態による充電処理を説明するためのフローチャートである。
【図５】本発明の第２実施形態による給電側コイル部からの時間に対する変化が特定のパターンを有する磁界を示した概念図である。
【図６】本発明の第２実施形態による充電処理を説明するためのフローチャートである。
【図７】本発明の第３実施形態による充電処理を説明するためのフローチャートである。
【図８】本発明の第１〜第３実施形態による特定周波数検出回路の変形例を示した図である。
【図９】本発明の第３実施形態による充電システムの変形例を示した図である。
【発明を実施するための形態】
【００１６】
以下、本発明の実施形態を図面に基づいて説明する。
【００１７】
［第１実施形態］
図１〜図４を参照して、本発明の第１実施形態による充電システム１００の構成について説明する。
【００１８】
（充電システムの構成）
図１に示すように、充電システム１００は、受電装置１と給電装置２とを備えている。
【００１９】
（受電装置の構成）
受電装置１は、非接触型の受電装置である。受電装置１は、たとえば、スマートフォンである。受電装置１は、給電装置２上に配置された状態で充電されるように構成されている。
【００２０】
図２に示すように、受電装置１は、受電コイル１１と、受電回路１２とを備えている。受電回路１２は、マッチング部１３と、整流部１４と、負荷１５と、特定周波数検出回路１６とを含んでいる。受電装置１は、通信部１７と、制御部１８とを備えている。
【００２１】
なお、受電コイル１１は、本発明の「受電側コイル部」の一例である。通信部１７は、本発明の「受電側通信部」の一例である。制御部１８は、本発明の「受電側制御部」の一例である。
【００２２】
受電コイル１１は、給電コイル２１が発生する特定の周波数の磁界に選択的に共鳴して電力を発生するように構成されている。特定の周波数は、たとえば、１．０ＧＨｚの帯域である。
【００２３】
マッチング部１３は、受電コイル１１の共振周波数を給電装置２の給電コイル２１が発生する磁界の共振周波数に合わせるように構成されている。充電システム１００は、磁気共鳴型の非接触充電システムである。
【００２４】
整流部１４は、ダイオードを含み、受電コイル１１により発生された交流電流を直流電流に整流するように構成されている。
【００２５】
負荷１５は、ＤＣ／ＤＣコンバータ１５ａおよび蓄電部１５ｂなどを含む。負荷１５は、給電装置２の給電コイル２１から給電された電力を消費（充電）するように構成されている。蓄電部１５ｂは、２次電池である。
【００２６】
特定周波数検出回路１６は、受電コイル１１に作用した磁界の周波数を検出するための回路である。特定周波数検出回路１６は、受電コイル１１により発生された交流電流の周波数を検出し、特定の周波数を検出した場合には、制御部１８に特定周波数検出信号を伝送する。図３に示すように、特定周波数検出回路１６は、予め決められた周波数を発生する周波数発振器１６ａと、周波数比較部１６ｂとを含んでいる。特定周波数検出回路１６は、周波数発振器１６ａから発生された周波数と、検出した周波数とが一致するか否かを判断して、特定の周波数であるか否かを判断することができる。
【００２７】
図２に示すように、通信部１７は、たとえば、無線通信部である。通信部１７は、給電装置２の通信部２３と通信を行うために設けられている。通信部１７は、ＢＬＥ（Ｂｌｕｅｔｏｏｔｈ  Ｌｏｗ  Ｅｎｅｒｇｙ、Ｂｌｕｅｔｏｏｔｈは登録商標）に対応した、２．４ＧＨｚの帯域を使用して通信を行う。通信部１７は、ＢＬＥ非対応のブルートゥースの通信部と比べて、約１／３の電力で動作する。
【００２８】
制御部１８は、ＣＰＵを含み、所定のプログラムに従い、受電装置１の動作制御を行うように構成されている。制御部１８は、給電装置２の給電コイル２１から発生された磁界により受電コイル１１が発生した電力の量を検出するように構成されている。制御部１８は、受電コイル１１が特定の周波数の磁界に共鳴したことに基づいて、通信部１７への電力供給を開始させて通信機能を無効から有効にする制御を行う。制御部１８が行う制御処理は、後述する充電システムの充電処理の項目で、詳細に説明する。
【００２９】
（給電装置の構成）
給電装置２は、受電装置１を充電するための装置である。給電装置２は、非接触型の給電装置である。給電装置２は、給電コイル２１と、送電回路２２と、通信部２３と、制御部２４とを含んでいる。
【００３０】
なお、給電コイル２１は、本発明の「給電側コイル部」の一例である。通信部２３は、本発明の「給電側通信部」の一例である。制御部２４は、本発明の「給電側制御部」の一例である。
【００３１】
給電コイル２１は、磁界を発生するように構成されている。給電コイル２１は、１．０ＧＨｚの帯域を使用して電力を送電するように構成されている。
【００３２】
送電回路２２は、給電コイル２１と制御部２４とのそれぞれに電気的に接続されている。送電回路２２は、制御部２４による制御により、給電コイル２１から発生する磁界を調整可能である。
【００３３】
通信部２３は、通信部１７と同様、ＢＬＥに対応した無線通信部である。
【００３４】
制御部２４は、ＣＰＵを含み、所定のプログラムに従い、給電装置２の制御を行うように構成されている。
【００３５】
（充電システムの充電処理）
次に、図２および図４を参照して、第１実施形態による充電システム１００の充電処理について説明する。ステップＳ１〜Ｓ７の処理は、給電装置２の制御部２４が行う。ステップＳ１００〜Ｓ１０６の処理は、受電装置１の制御部１８が行う。
【００３６】
まず、ステップＳ１において、給電装置２の制御部２４は、給電コイル２１から特定周波数の磁界を発生する処理を行う。ステップＳ１の処理は、開始されると常時行われる。次に、ステップＳ２において、制御部２４は、給電コイル２１のインピーダンスが変化したか否かを判断する。給電コイル２１から発生された磁界に受電装置１の受電コイル１１が共鳴すると給電コイル２１のインピーダンスが変化する。制御部２４は、給電コイル２１のインピーダンスが変化するまでこの判断を繰り返し、給電コイル２１のインピーダンスが変化した場合には、ステップＳ３に処理を進める。
【００３７】
一方、受電装置１の制御部１８は、ステップＳ１００において、特定周波数の磁界と共鳴したか否かを判断する。制御部１８は、特定周波数検出回路１６から特定周波数検出信号が伝送されるまでこの判断を繰り返し、特定周波数検出回路１６から特定周波数検出信号が伝送さると、ステップＳ１０１に処理を進める。
【００３８】
次に、ステップＳ１０１において、制御部１８は、通信部１７の通信機能を有効にし（通信部１７への電力供給を開始し）、給電装置２に接続要求信号を送信する。
【００３９】
一方、給電装置２の制御部２４は、ステップＳ３において、給電装置２の通信部２３と受電装置１の通信部１７との接続が確立されたか否かを判断する。接続が確立されていない場合には、制御部２４はステップＳ４に処理を進める。一方、接続が確立された場合には、制御部２４はステップＳ５に処理を進める。
【００４０】
次に、ステップＳ４において、制御部２４は、接続受付時間が経過したか否かを判断する。制御部２４は、接続受付時間が経過していない場合には、ステップＳ３に処理を戻す。一方、接続受付時間が経過した場合には、制御部２４は、ステップＳ１に処理を戻す。
【００４１】
ステップＳ５に進んだ場合には、制御部２４は、接続確立信号を受電装置１に送る制御を行う。その後、制御部２４は、ステップＳ６に処理を進め、給電を開始する。
【００４２】
なお、ステップＳ１において給電コイル２１から発生される特定周波数の磁界と、ステップＳ６において給電（充電）のために給電コイル２１から発生される磁界とは異なるものである。
【００４３】
次に、ステップＳ７において、制御部２４は、所定量の電力の送電を完了したか否かを判断する。詳細には、制御部２４は、後述する受電装置１の通信部１７から給電装置２の通信部２３に送られた情報（受電装置１が蓄電部１５ｂを満充電にするのに必要な電力量の情報）に基づいて、所定量の電力の送電を完了したか否かを判断する。次に、制御部２４は、所定量の電力の送電を完了していない場合には、ステップＳ７の判断を繰り返す。一方、所定量の電力の送電を完了した場合には、ステップＳ１に処理が戻される。
【００４４】
一方、受電装置１の制御部１８は、ステップＳ１０２において、給電装置２の通信部２３との接続が確立したか否かを判断する。具体的には、制御部１８は、受電装置１の通信部１７が給電装置２の通信部２３から送られた接続確立信号を受信したか否かを判断する。接続が確立していない場合には、制御部１８はステップＳ１０３に処理を進める。接続が確立した場合には、制御部１８はステップＳ１０４に処理を進める。
【００４５】
なお、受電装置１と給電装置２との接続が確立されると、受電装置１の通信部１７と受電装置１の通信部１７との間で双方向通信が行われる。受電装置１の通信部１７から給電装置２の通信部２３には、受電装置１が蓄電部１５ｂを満充電にするのに必要な電力量、および、受電装置１が受電している電力量などの情報が送信される。一方、給電装置２の通信部２３から受電装置１の通信部１７には、給電装置２から送電されている電力量などの情報が送信される。
【００４６】
ステップＳ１０３に進んだ場合には、制御部１８は、接続待ち時間が経過したか否かを判断する。接続待ち時間が経過していない場合には、ステップＳ１０２に処理を戻す。一方、接続待ち時間が経過した場合には、ステップＳ１０６に処理を進める。
【００４７】
ステップＳ１０４に進んだ場合には、制御部１８は、受電を開始する処理を行う。
【００４８】
次に、ステップＳ１０５において、制御部１８は、蓄電部１５ｂが満充電になったか否かを判断する。制御部１８は、蓄電部１５ｂが満充電になっていない場合には、ステップＳ１０５の判断を繰り返す。一方、制御部１８は、蓄電部１５ｂが満充電になった場合には、ステップＳ１０６に処理を進める。
【００４９】
次に、ステップＳ１０６において、制御部１８は、通信部１７の通信機能を無効にする（通信部１７への電力供給を停止する）。制御部１８は、通信部１７の通信機能を有効にした後、通信部１７が給電装置２の通信部２３と通信を行うことができない場合（ステップＳ１０３のＹｅｓ）には、通信機能を無効にする制御を行う。制御部１８は、受電コイル１１が受電した電力により蓄電部１５ｂが満充電された場合（ステップＳ１０５のＹｅｓ）には、通信機能を無効にする制御を行う。
【００５０】
以上のようにして、充電システム１００の充電処理が行われる。
【００５１】
（第１実施形態の効果）
第１実施形態では、以下のような効果を得ることができる。
【００５２】
第１実施形態では、上記のように、受電コイル１１が特定の周波数の磁界に共鳴したことに基づいて、給電装置２の通信部２３と通信を行うための通信部１７の通信機能を無効から有効にする制御を行う制御部１８を設ける。これにより、給電装置２から特定の周波数の磁界を発生させれば、充電時にだけ通信部１７を起動させて給電装置２の通信部２３と通信を行い、充電を行うことができる。その結果、受電装置１の非充電時の消費電力が増加するのを抑制しつつ、確実に充電を開始することができる。また、受電コイル１１が特定の周波数の電力を磁界に共鳴したことに基づいて、上記の制御を行うので、複雑な信号をやり取りする場合と異なり、制御部１８の制御負荷を低減することができる。
【００５３】
また、第１実施形態では、受電コイル１１に作用した磁界の周波数を検出するための特定周波数検出部１６を設ける。このように構成すれば、特定周波数検出部１６を用いて、受電コイル１１に作用した磁界の周波数を容易に検出することができる。
【００５４】
また、第１実施形態では、通信部１７の通信機能を有効にした後、通信部１７が給電装置２の通信部２３と通信を行うことができない場合には、通信機能を無効にする制御を行うように制御部１８を構成する。これにより、受電コイル１１が特定の周波数の磁界と共鳴したことに基づいて、給電装置２の通信部２３と通信を行うための通信部１７の通信機能を有効にしたにも関わらず、給電装置２の通信部２３と通信を行うことができない場合に、無駄に電力が消費されるのを抑制することができる。
【００５５】
また、第１実施形態では、受電コイル１１により発生された電力により蓄電部１５ｂが満充電された場合には、通信機能を無効にする制御を行うように制御部１８を構成する。これにより、充電が完了し、給電装置２の通信部２３と通信を行う必要がなくなった場合に、無駄に電力が消費されるのを抑制することができる。
【００５６】
［第２実施形態］
次に、図５および図６を参照して、第２実施形態による充電システム２００の構成について説明する。第２実施形態では、受電コイル１１が特定の周波数の磁界に共鳴したことに基づいて、給電装置２の通信部２３と通信を行うための通信部１７の通信機能を有効にする充電システム１００と異なり、時間に対する振幅変化が特定のパターンを有する磁界の周波数を検出し、さらに、受電コイル１１が特定の周波数の磁界に共鳴したことに基づいて、給電装置２の通信部２３と通信を行うための通信部１７の通信機能を有効にする構成について説明する。
【００５７】
（給電装置の構成）
給電装置２は、給電装置２の通信部２３と受電装置１の通信部１７とが初めて接続確立した場合には、接続確立後、時間に対する振幅変化が特定のパターンＰを有する磁界（図５参照）を発生するように構成されている。給電装置２の通信部２３と受電装置１の通信部１７とが初めて接続確立した後、上記振幅変化が特定のパターンＰは、受電装置１の制御部１１８（図２参照）に保持（記憶）される。制御部１１８に保持された、上記振幅変化が特定のパターンを「参照パターンＰｒ」という。
【００５８】
また、給電装置２は、給電装置２の通信部２３と受電装置１の通信部１７とが、２回目以降に接続確立する場合には、時間に対する振幅変化が特定のパターンＰを有する磁界を発生するように構成されている。
【００５９】
（受電装置の構成）
受電装置１の制御部１１８（図２参照）は、給電装置２と初めて接続確立される場合には、第１実施形態と同様の方法で充電処理を行う。
【００６０】
一方、制御部１１８は、時間に対する振幅変化が特定のパターンＰを有する磁界を検出したことに基づいて、通信機能を有効にする制御を行う。具体的には、制御部１１８は、給電装置２と２回目以降、接続確立される場合には、受電装置１から発生される磁界の時間に対する振幅変化についての特定のパターンＰと、参照パターンＰｒとのマッチングを行う。制御部１１８は、特定のパターンＰと、参照パターンＰｒが一致した場合には、通信部１７の通信機能を有効にする。
【００６１】
一方、制御部１１８は、特定のパターンＰと、参照パターンＰｒとが一致しない場合には、たとえ受電コイル１１が特定の周波数の電力を受電しても、給電装置２の通信部２３と通信を行うための通信部１７の通信機能を有効しない。
【００６２】
このように構成することで、特定の周波数の磁界を発生するものの給電装置ではない装置が受電装置１の近くにある場合に、給電装置ではない装置が発生する特定の周波数の磁界に受電コイル１１が共鳴したことに基づいて、通信部１７の通信機能を有効にされるのを抑制可能である。
【００６３】
（充電システムの充電処理）
次に、図２および図６を参照して、第２実施形態による充電システム２００の充電処理について説明する。図６に示す処理は、給電装置２（通信部２３）と受電装置１（通信部１７）とが、２回目以降に接続確立する場合の処理を示している。
【００６４】
ステップＳ１〜Ｓ７およびＳ１１の処理は、給電装置２の制御部１２４が行う。ステップＳ１００〜Ｓ１０６およびＳ１１１の処理は、受電装置１の制御部１１８が行う。ステップＳ１〜Ｓ７およびＳ１００〜Ｓ１０６の処理は、第１実施形態と同様である。
【００６５】
ステップＳ１１において、給電装置２の制御部１２４は、時間に対する振幅変化が特定のパターンＰを有する磁界を発生させる。その後、制御部１２４は、ステップＳ１に処理を進める。
【００６６】
一方、受電装置１の制御部１１８は、ステップＳ１００の後、ステップＳ１１１において、受電コイル１１に作用した磁界の時間に対する振幅変化が特定のパターンＰと、制御部１１８に保持されている参照パターンＰｒとが一致するか否かを判断する。制御部１１８は、磁界の時間に対する振幅変化が特定のパターンＰと、参照パターンＰｒとが一致する場合には、ステップＳ１０１に処理を進める。制御部１１８は、磁界の時間に対する振幅変化が特定のパターンＰと、参照パターンＰｒとが一致しない場合には、ステップＳ１００に処理を戻す。
【００６７】
なお、第２実施形態では、給電装置２の制御部１２４は、ステップＳ４において接続受付時間が経過した場合と、ステップＳ７において所定量の電力を送電完了した場合には、それぞれ、ステップＳ１１に処理を戻す。
【００６８】
なお、第２実施形態のその他の構成は、上記第１実施形態と同様である。
【００６９】
（第２実施形態の効果）
第２実施形態では、以下のような効果を得ることができる。
【００７０】
第２実施形態では、上記のように構成することにより、第１実施形態と同様、受電装置１の非充電時の消費電力が増加するのを抑制しつつ、確実に充電を開始することができる。また、受電コイル１１が特定の周波数の磁界と共鳴したことに基づいて、上記の制御を行うので、複雑な信号をやり取りする場合と異なり、制御部１１８の制御負荷を低減することができる。
【００７１】
また、第２実施形態では、時間に対する変化が特定のパターンを有する磁界の周波数を検出し、かつ、受電コイル１１が特定の周波数の磁界に共鳴したことに基づいて、通信機能を有効にする制御を行うように制御部１１８を構成する。これにより、給電コイル２１以外の給電装置２とは異なる装置から出される特定の周波数の磁界に共鳴したことに基づいて、通信部１７の通信機能が有効にされるのを抑制することができる。これにより、給電装置２が受電装置１の近くになく、受電装置１の充電ができないにもかかわらず通信部１７の通信機能が有効にされて、無駄に電力が消費されるのを抑制することができる。
【００７２】
また、第２実施形態では、時間に対する変化が特定のパターンを有する磁界を、記憶されているパターンと比較することにより、受電コイル１１が特定のパターンを有する磁界の周波数を検出したか否かを判断する制御を行うように制御部１１８を構成する。これにより、給電装置２が受電装置１の近くになく、受電装置１の充電ができないにもかかわらず通信部１７の通信機能が有効にされてしまうのを容易に抑制することができる。
【００７３】
［第３実施形態］
次に、図７を参照して、第３実施形態による充電システム３００の構成について説明する。第３実施形態では、接続受付時間が経過した場合には所定の処理に戻す充電システム２００と異なり、接続受付時間が経過した場合、接続受付時間を延長可能な構成について説明する。「接続受付時間」とは、通信部２３の通信機能が無効から有効にされている時間である。
【００７４】
（充電システムの充電処理）
図２および図７を参照して、第３実施形態による充電システム３００の充電処理について説明する。図７に示す処理は、給電装置２（通信部２３）と受電装置１（通信部１７）とが、２回目以降に接続確立する場合の処理を示している。
【００７５】
ステップＳ１〜Ｓ７、Ｓ１１、Ｓ２１およびＳ２２の処理は、給電装置２の制御部２２４が行う。ステップＳ１００〜Ｓ１０６およびＳ１１１の処理は、受電装置１の制御部２１８が行う。ステップＳ１〜Ｓ３、Ｓ５〜Ｓ７、Ｓ１１、Ｓ１００〜Ｓ１０６およびＳ１１１の処理は、第２実施形態と同様である。
【００７６】
ステップＳ４において、給電装置２の制御部２２４は、接続受付時間が経過したか否かを判断する。制御部２２４は、接続受付時間が経過していない場合には、ステップＳ３に処理を戻す。一方、接続受付時間が経過した場合には、制御部２４は、ステップＳ２１に処理を進める。
【００７７】
次に、ステップＳ２１において、制御部２２４は、所定回数、接続時間が経過したか否かを判断する。所定回数は、適宜設定可能であり、たとえば、２回である。制御部２２４は、所定回数、接続時間が経過した場合には、ステップＳ１１に処理を戻す。一方、制御部２２４は、所定回数、接続時間が経過していない場合には、ステップＳ２２に処理を進める。
【００７８】
次に、ステップＳ２２において、制御部２２４は、接続受付時間を延長する処理を行う。制御部２２４は、接続時間をたとえば２倍に延長する。その後、制御部２２４は、ステップＳ３に処理を戻す。
【００７９】
なお、第３実施形態のその他の構成は、上記第２実施形態と同様である。
【００８０】
（第３実施形態の効果）
【００８１】
第３実施形態では、以下のような効果を得ることができる。
【００８２】
第３実施形態では、上記のように構成することにより、第１実施形態と同様、受電装置１の非充電時の消費電力が増加するのを抑制しつつ、確実に充電を開始することができる。また、受電コイル１１が特定の周波数の磁界と共鳴したことに基づいて、上記の制御を行うので、複雑な信号をやり取りする場合と異なり、制御部２１８の制御負荷を低減することができる。
【００８３】
また、第３実施形態では、通信部２３の通信機能が無効から有効にされている所定の接続受付時間の間に、通信部２３が通信部１７と接続状態を確立するための信号を通信部１７から受信できずに通信部１７と接続されない場合には、接続受付時間を延長する制御を行うように制御部２２４を構成する。これにより、通信部２３が通信部１７と接続状態を確立するための信号を所定の接続受付時間の間に通信部１７から受信できない場合でも、接続受付時間を延長するように調整して、確実に、通信部２３と通信部１７との接続状態を確立することができる。
【００８４】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８５】
たとえば、上記第１〜３実施形態では、受電装置１がスマートフォンである例を示したが、本発明はこれに限らない。本発明は、受電される対象物は（受電装置）は、たとえば、タブレット、デジタルカメラおよび電気自動車などでもよい。
【００８６】
また、上記第１〜第３実施形態では、ＢＬＥに対応する通信部２３（給電側通信部）および通信部１７（受電側通信部）を示した例であるが、本発明はこれに限られない。本発明では、給電側通信部および受電側通信部が、赤外線通信部などであってもよい。
【００８７】
また、上記第３実施形態では、時間に対する振幅変化が特定のパターンを有する磁界を検出し、さらに、受電コイル１１（受電側コイル部）が特定の周波数の磁界に共鳴したことに基づいて、通信機能を有効にする例を示したが、本発明はこれに限られない。本発明では、第３実施形態において、時間に対する振幅変化が特定のパターンを有する磁界を検出しなくても、受電側コイル部が特定の周波数の磁界に共鳴したことに基づいて、通信機能を有効にしてもよい。
【００８８】
また、上記第１〜第３実施形態では、特定周波数検出回路１６が、周波数発振器１６ａと周波数比較部１６ｂとを含む例を示したが、本発明はこれに限られない。本発明では、特定周波数検出回路は、その他の構成であってもよい。特定周波数検出回路は、図８に示すように、たとえば、バンドパスフィルタ１６ｃと振幅検出部１６ｄとを含む構成でもよい。
【００８９】
また、上記第３実施形態では、接続受付時間を２倍の時間に延長する例を示したが、本発明はこれに限られない。本発明では、接続受付時間を２倍以外の時間に延長してもよい。
【００９０】
また、上記第１〜３実施形態では、給電装置２が、１台の受電装置１に対して給電を行う例を示したが、本発明はこれに限られない。本発明では、給電装置が、複数台の受電装置に対して給電を行ってもよい。第３実施形態において、複数台の受電装置（たとえば、４台の受電装置Ａ〜Ｄ、図９参照）に対して給電を行う場合には、複数の受電装置の各々の通信部のうち、接続状態を確立するのに最も時間を要する通信部と通信状態を確立するのに要する時間に、接続受付時間を対応させる制御を行うように給電側制御部を構成してもよい。また、給電装置は、一度、接続状態を確立した受電装置から接続状態を確立するのに必要な時間の情報を送信してもらう。これにより、同時に複数の受電装置の充電を行う場合でも、接続受付時間を調整して、全ての受電装置の充電を適切に行うことができる。
【００９１】
また、上記第１〜第３実施形態では、説明の便宜上、制御部の処理を処理フローに沿って順番に処理を行うフロー駆動型のフローを用いて説明したが、たとえば、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９２】
１  受電装置
２  給電装置
１１  受電コイル（受電側コイル部）
１５ｂ  蓄電部
１６  特定周波数検出回路
１７  通信部（受電側通信部）
１８、１１８、２１８  制御部（受電側制御部）
２１  給電コイル（給電側コイル部）
２３  通信部（給電側通信部）
２４、１２４、２２４  制御部（給電側制御部）
１００、２００、３００  充電システム
【図１】
2017085717.tif 000003
【図２】
2017085717.tif 000004
【図３】
2017085717.tif 000005
【図４】
2017085717.tif 000006
【図５】
2017085717.tif 000007
【図６】
2017085717.tif 000008
【図７】
2017085717.tif 000009
【図８】
2017085717.tif 000010
【図９】
2017085717.tif 000011